(57)【要約】【課題】  任意のネットワーク機器が頻繁に脱着する状況に対応することが可能なネットワーク監視制御システムを実現する。【解決手段】  ネットワーク機器の構成を監視すると共にネットワーク機器を制御するネットワーク監視制御システムにおいて、無線ネットワークに接続可能な複数台の無線ネットワーク機器と、これらの無線ネットワーク機器の監視や制御を行うコンピュータとを備え、新たに設置された無線ネットワーク機器が隣接して設置されている無線ネットワーク機器との間で無線リンクを確立させ、コンピュータに属性情報を送信し、隣接して設置されている無線ネットワーク機器が無線リンクの確立を検出した場合に、コンピュータに対して脱着情報を送信し、属性情報を受信した場合にコンピュータに転送する。【選択図】                    図１
2005260776.tif 000002
【特許請求の範囲】
【請求項１】
ネットワーク機器の構成を監視すると共にネットワーク機器を制御するネットワーク監視制御システムにおいて、
無線ネットワークに接続可能な複数台の無線ネットワーク機器と、
これらの無線ネットワーク機器の監視や制御を行うコンピュータとを備え、
新たに設置された無線ネットワーク機器が隣接して設置されている無線ネットワーク機器との間で無線リンクを確立させ、前記コンピュータに属性情報を送信し、前記隣接して設置されている無線ネットワーク機器が前記無線リンクの確立を検出した場合に、前記コンピュータに対して脱着情報を送信し、前記属性情報を受信した場合に前記コンピュータに転送することを特徴とするネットワーク監視制御システム。
【請求項２】
前記隣接して設置されている無線ネットワーク機器が、
前記無線リンクの切断を検出した場合に、前記コンピュータに対して脱着情報を送信することを特徴とする
請求項１記載のネットワーク監視制御システム。
【請求項３】
前記無線ネットワーク機器が、
前記属性情報に変更が生じた場合に、前記コンピュータに対して変更された属性情報を送信することを特徴とする
請求項１記載のネットワーク監視制御システム。
【請求項４】
前記コンピュータが、
有線のネットワークを介して通信を行う通信手段と、
アプリケーションプログラムが格納された記憶手段と、
この記憶手段から前記アプリケーションプログラム読み出して実行し前記通信手段を介して前記無線ネットワーク機器の監視や制御を行う演算制御手段とから構成されたことを特徴とする
請求項１乃至請求項３のいずれかに記載のネットワーク監視制御システム。
【請求項５】
前記無線ネットワーク機器が、
無線のネットワークを介して通信を行う通信手段と、
アプリケーションプログラムが格納された記憶手段と、
機能実現手段と、
この記憶手段から前記アプリケーションプログラム読み出して実行し前記通信手段を介して前記機能実現手段に関する情報を外部のコンピュータに送信する演算制御手段とから構成されたことを特徴とする
請求項１乃至請求項３のいずれかに記載のネットワーク監視制御システム。
【請求項６】
前記機能実現手段が、
測定手段であることを特徴とする
請求項５記載のネットワーク監視制御システム。
【請求項７】
前記機能実現手段が、
制御手段であることを特徴とする
請求項５記載のネットワーク監視制御システム。
【請求項８】
前記機能実現手段が、
駆動手段であることを特徴とする
請求項５記載のネットワーク監視制御システム。
【請求項９】
前記コンピュータが、
無線ネットワークに接続可能な通信手段を具備し前記無線ネットワーク機器が構成する無線ネットワークに直接接続することを特徴とする
請求項１記載のネットワーク監視制御システム。
【請求項１０】
前記コンピュータが、
有線のネットワークと無線ネットワークとの間を相互接続させるゲートウェイを介して前記無線ネットワーク機器が構成する無線ネットワークに接続することを特徴とする
請求項１記載のネットワーク監視制御システム。
【請求項１１】
ビルオートメーションシステムに適用したことを特徴とする
請求項１乃至請求項１０のいずれかに記載のネットワーク監視制御システム。
【請求項１２】
プラント制御システムに適用したことを特徴とする
請求項１乃至請求項１０のいずれかに記載のネットワーク監視制御システム。
【請求項１３】
現場巡回システムに適用したことを特徴とする
請求項１乃至請求項１０のいずれかに記載のネットワーク監視制御システム。
【請求項１４】
広域フィールド監視システムに適用したことを特徴とする
請求項１乃至請求項１０のいずれかに記載のネットワーク監視制御システム。
【発明の詳細な説明】
【技術分野】
【０００１】
本発明は、ネットワーク機器の構成を監視すると共にネットワーク機器を制御するネットワーク監視制御システムに関し、特に任意のネットワーク機器が頻繁に脱着する状況に対応することが可能なネットワーク監視制御システムに関する。
【背景技術】
【０００２】
従来のネットワーク機器の構成を監視すると共にネットワーク機器を制御するネットワーク監視制御システムに関連する先行技術文献としては次のようなものがある。
【０００３】
【特許文献１】特開２０００−０９９１３６号公報
【特許文献２】特開２０００−１１２５９５号公報
【特許文献３】特開２００１−２１７８３２号公報
【特許文献４】特開２００２−１０１１２５号公報
【０００４】
図１４は従来のネットワーク監視制御システムの一例を示す構成ブロック図である。図１４において１はネットワーク機器の監視や制御を行うためコンピュータ、２，３，４及び５はコントローラ、アクチュエータ若しくはセンサ等の機能を有しネットワークに接続可能なネットワーク機器、１００はＬＡＮ（Local Area Network）等の汎用の有線のネットワークである。
【０００５】
コンピュータ１はネットワーク１００に接続され、ネットワーク機器２，３，４及び５もまたネットワーク１００に接続される。
【０００６】
また、図１５及び図１６はコンピュータ１及びネットワーク機器２〜５の具体例を示す構成ブロック図である。但し、図１６に示す具体例はセンサ機能（温度測定機能）を有するネットワーク機器を例示している。
【０００７】
図１５において６はネットワークインターフェース等のネットワーク１００を介して通信を行う通信手段、７はＣＰＵ（Central Processing Unit）等の演算制御手段、８はアプリケーションプログラム等が格納されるハードディスクや一時記憶に用いられるＲＡＭ（Random Access Memory）等の記憶手段である。
【０００８】
通信手段６はネットワーク１００に相互に接続され、通信手段６の入出力は演算制御手段７に接続される。また、演算制御手段７の入出力は記憶手段８に接続される。
【０００９】
演算制御手段７は、記憶手段８に格納されている通信手段６を介してネットワーク機器の監視やネットワーク機器の制御を行うためのアプリケーションプログラムを読み出して実行することにより、ネットワーク１００に接続されているネットワーク機器２〜５の監視及び制御を行う。
【００１０】
一方、図１６において９はネットワークインターフェース等のネットワーク１００を介して通信を行う通信手段、１０はＣＰＵ等の演算制御手段、１１はセンサ機能であり温度等の物理量を測定する測定手段、１２はアプリケーションプログラム等が格納されるハードディスクや一時記憶に用いられるＲＡＭ等の記憶手段である。
【００１１】
通信手段９はネットワーク１００に相互に接続され、通信手段９の入出力は演算制御手段１０に接続される。また、測定手段１１の出力は演算制御手段１０に入力され、演算制御手段１０の入出力は記憶手段１２に接続される。
【００１２】
演算制御手段１０は、記憶手段１２に格納されている測定手段１１を制御して温度等の物理量を測定し、測定結果を通信手段９を介して外部に出力するためのアプリケーションプログラムを読み出して実行することにより、測定手段１１で測定した測定結果をネットワーク１００を介して外部のコンピュータ１等に送信する。
【００１３】
ここで、図１４に示す従来例のコンピュータ１からネットワーク機器２〜５へのアクセス手順について図１７を用いて説明する。図１７はコンピュータ１からネットワーク機器２〜５へのアクセス手順を説明するフロー図である。
【００１４】
図１７中”Ｓ００１”においてコンピュータ１（具体的には演算制御手段７：以下、単にコンピュータと呼ぶ。）は、監視対象のネットワーク機器を指定する。具体的には、ネットワーク機器２〜５を指定する。
【００１５】
そして、図１７中”Ｓ００２”においてコンピュータ１は、指定されたネットワーク機器のアクセスに必要な機器ＩＤ、サービス内容、シリアル番号、通信プロトコル等の情報を取得すると共に図１７中”Ｓ００３”においてコンピュータ１は、取得した前述の情報に基づきネットワーク機器へのアクセス手段を特定してネットワーク機器にアクセスする。
【発明の開示】
【発明が解決しようとする課題】
【００１６】
しかし、図１４に示す従来例では、監視対象のネットワーク機器を予め認識していなければならず、ネットワーク機器の数が増加した場合には管理が煩雑になってしまうと言った問題点があった。
【００１７】
また、ネットワーク機器のネットワーク１００への追加やネットワーク１００からの削除と言った変化が生じた場合には、別途情報の変更や設定等を行わなければならないと言った問題点があった。
【００１８】
特に、無線ネットワーク等において任意のネットワーク機器が頻繁に脱着、言い換えれば、任意のネットワーク機器が無線ネットワーク領域内に頻繁に出入りするような状況下では、情報の変更や設定等が間に合わずネットワーク機器の監視や制御を行うことが困難であると言った問題点があった。
従って本発明が解決しようとする課題は、任意のネットワーク機器が頻繁に脱着する状況に対応することが可能なネットワーク監視制御システムを実現することにある。
【課題を解決するための手段】
【００１９】
このような課題を達成するために、本発明のうち請求項１記載の発明は、
ネットワーク機器の構成を監視すると共にネットワーク機器を制御するネットワーク監視制御システムにおいて、
無線ネットワークに接続可能な複数台の無線ネットワーク機器と、これらの無線ネットワーク機器の監視や制御を行うコンピュータとを備え、
新たに設置された無線ネットワーク機器が隣接して設置されている無線ネットワーク機器との間で無線リンクを確立させ、前記コンピュータに属性情報を送信し、前記隣接して設置されている無線ネットワーク機器が前記無線リンクの確立を検出した場合に、前記コンピュータに対して脱着情報を送信し、前記属性情報を受信した場合に前記コンピュータに転送することにより、任意のネットワーク機器が頻繁に脱着する状況であっても、コンピュータは無線ネットワーク機器の構成を把握でき、無線ネットワーク機器の監視や制御を行うことが可能になる。
【００２０】
請求項２記載の発明は、
請求項１記載の発明であるネットワーク監視制御システムにおいて、
前記隣接して設置されている無線ネットワーク機器が、
前記無線リンクの切断を検出した場合に、前記コンピュータに対して脱着情報を送信することにより、任意のネットワーク機器が頻繁に脱着する状況であっても、コンピュータは無線ネットワーク機器の構成を把握でき、無線ネットワーク機器の監視や制御を行うことが可能になる。
【００２１】
請求項３記載の発明は、
請求項１記載の発明であるネットワーク監視制御システムにおいて、
前記無線ネットワーク機器が、
前記属性情報に変更が生じた場合に、前記コンピュータに対して変更された属性情報を送信することにより、任意のネットワーク機器が頻繁に脱着する状況であっても、コンピュータは無線ネットワーク機器の構成を把握でき、無線ネットワーク機器の監視や制御を行うことが可能になる。
【００２２】
請求項４記載の発明は、
請求項１乃至請求項３のいずれかに記載の発明であるネットワーク監視制御システムにおいて、
前記コンピュータが、
有線のネットワークを介して通信を行う通信手段と、アプリケーションプログラムが格納された記憶手段と、この記憶手段から前記アプリケーションプログラム読み出して実行し前記通信手段を介して前記無線ネットワーク機器の監視や制御を行う演算制御手段とから構成されたことにより、任意のネットワーク機器が頻繁に脱着する状況であっても、コンピュータは無線ネットワーク機器の構成を把握でき、無線ネットワーク機器の監視や制御を行うことが可能になる。
【００２３】
請求項５記載の発明は、
請求項１乃至請求項３のいずれかに記載の発明であるネットワーク監視制御システムにおいて、
前記無線ネットワーク機器が、
無線のネットワークを介して通信を行う通信手段と、アプリケーションプログラムが格納された記憶手段と、機能実現手段と、この記憶手段から前記アプリケーションプログラム読み出して実行し前記通信手段を介して前記機能実現手段に関する情報を外部のコンピュータに送信する演算制御手段とから構成されたことにより、任意のネットワーク機器が頻繁に脱着する状況であっても、コンピュータは無線ネットワーク機器の構成を把握でき、無線ネットワーク機器の監視や制御を行うことが可能になる。
【００２４】
請求項６記載の発明は、
請求項５記載の発明であるネットワーク監視制御システムにおいて、
前記機能実現手段が、
測定手段であることにより、任意のネットワーク機器が頻繁に脱着する状況であっても、コンピュータは無線ネットワーク機器の構成を把握でき、無線ネットワーク機器の監視や制御を行うことが可能になる。
【００２５】
請求項７記載の発明は、
請求項５記載の発明であるネットワーク監視制御システムにおいて、
前記機能実現手段が、
制御手段であることにより、任意のネットワーク機器が頻繁に脱着する状況であっても、コンピュータは無線ネットワーク機器の構成を把握でき、無線ネットワーク機器の監視や制御を行うことが可能になる。
【００２６】
請求項８記載の発明は、
請求項５記載の発明であるネットワーク監視制御システムにおいて、
前記機能実現手段が、
駆動手段であることにより、任意のネットワーク機器が頻繁に脱着する状況であっても、コンピュータは無線ネットワーク機器の構成を把握でき、無線ネットワーク機器の監視や制御を行うことが可能になる。
【００２７】
請求項９記載の発明は、
請求項１記載の発明であるネットワーク監視制御システムにおいて、
前記コンピュータが、
無線ネットワークに接続可能な通信手段を具備し前記無線ネットワーク機器が構成する無線ネットワークに直接接続することにより、任意のネットワーク機器が頻繁に脱着する状況であっても、コンピュータは無線ネットワーク機器の構成を把握でき、無線ネットワーク機器の監視や制御を行うことが可能になる。
【００２８】
請求項１０記載の発明は、
請求項１記載の発明であるネットワーク監視制御システムにおいて、
前記コンピュータが、
有線のネットワークと無線ネットワークとの間を相互接続させるゲートウェイを介して前記無線ネットワーク機器が構成する無線ネットワークに接続することにより、任意のネットワーク機器が頻繁に脱着する状況であっても、コンピュータは無線ネットワーク機器の構成を把握でき、無線ネットワーク機器の監視や制御を行うことが可能になる。
【００２９】
請求項１１記載の発明は、
請求項１乃至請求項１０のいずれかに記載の発明であるネットワーク監視制御システムにおいて、
ビルオートメーションシステムに適用したことにより、任意のネットワーク機器が頻繁に脱着する状況であっても、コンピュータは無線ネットワーク機器の構成を把握でき、無線ネットワーク機器の監視や制御を行うことが可能になる。
【００３０】
請求項１２記載の発明は、
請求項１乃至請求項１０のいずれかに記載の発明であるネットワーク監視制御システムにおいて、
プラント制御システムに適用したことにより、任意のネットワーク機器が頻繁に脱着する状況であっても、コンピュータは無線ネットワーク機器の構成を把握でき、無線ネットワーク機器の監視や制御を行うことが可能になる。
【００３１】
請求項１３記載の発明は、
請求項１乃至請求項１０のいずれかに記載の発明であるネットワーク監視制御システムにおいて、
現場巡回システムに適用したことにより、任意のネットワーク機器が頻繁に脱着する状況であっても、コンピュータは無線ネットワーク機器の構成を把握でき、無線ネットワーク機器の監視や制御を行うことが可能になる。
【００３２】
請求項１４記載の発明は、
請求項１乃至請求項１０のいずれかに記載の発明であるネットワーク監視制御システムにおいて、
広域フィールド監視システムに適用したことにより、任意のネットワーク機器が頻繁に脱着する状況であっても、コンピュータは無線ネットワーク機器の構成を把握でき、無線ネットワーク機器の監視や制御を行うことが可能になる。
【発明の効果】
【００３３】
本発明によれば次のような効果がある。
請求項１，２，３，４，５，６，７，８，９，１０，１１，１２，１３及び請求項１４の発明によれば、隣接する無線ネットワーク機器が、新たに設置された無線ネットワーク機器との間での無線リンクの確立、若しくは、切断を検出し、新たな無線ネットワーク機器の設置、若しくは、無線ネットワーク機器の撤去を示す脱着情報をコンピュータに送信することにより、また、自らの属性情報に変更があった場合には、変更された属性情報をコンピュータに送信することにより、任意のネットワーク機器が頻繁に脱着する状況であっても、コンピュータは無線ネットワーク機器の構成を把握でき、無線ネットワーク機器の監視や制御を行うことが可能になる。
【発明を実施するための最良の形態】
【００３４】
以下本発明を図面を用いて詳細に説明する。図１は本発明に係るネットワーク監視制御システムの一実施例を示す構成ブロック図である。図１において１３はネットワーク機器の監視や制御を行うコンピュータ、１４は有線のネットワークと無線ネットワークとの間を相互接続させるゲートウェイ、１５，１６及び１７はコントローラ、アクチュエータ若しくはセンサ等の機能を有し無線ネットワークに接続可能な無線ネットワーク機器、１０１はＬＡＮ等の汎用の有線のネットワークである。
【００３５】
コンピュータ１３及びゲートウェイ１４は有線のネットワーク１０１（以下、単にネットワーク１０１呼ぶ。）に接続され、無線ネットワーク機器１５はゲートウェイ１４、無線ネットワーク機器１６及び１７との間でそれぞれ無線リンクを確立させて無線ネットワークを構成する。
【００３６】
また、図２及び図３はコンピュータ１３及び無線ネットワーク機器１５〜１７の具体例を示す構成ブロック図である。但し、図３に示す具体例はセンサ機能（温度測定機能）を有する無線ネットワーク機器を例示している。
【００３７】
図２において１８はネットワークインターフェース等のネットワーク１０１を介して通信を行う通信手段、１９はＣＰＵ等の演算制御手段、２０はアプリケーションプログラム等が格納されるハードディスクや一時記憶に用いられるＲＡＭ等の記憶手段である。
【００３８】
通信手段１８はネットワーク１０１に相互に接続され、通信手段１８の入出力は演算制御手段１９に接続される。また、演算制御手段１９の入出力は記憶手段２０に接続される。
【００３９】
演算制御手段１９は、記憶手段２０に格納されている通信手段１８を介して無線ネットワーク機器の監視や無線ネットワーク機器の制御を行うためのアプリケーションプログラムを読み出して実行することにより、ネットワーク１０１に接続されているゲートウェイ１４を介して無線ネットワーク機器１５〜１７の監視及び制御を行う。
【００４０】
一方、図３において２１は無線ネットワークインターフェース等の無線ネットワークを介して通信を行う無線通信手段、２２はＣＰＵ等の演算制御手段、２３はセンサ機能であり温度等の物理量を測定する測定手段、２４はアプリケーションプログラム等が格納されるハードディスクや一時記憶に用いられるＲＡＭ等の記憶手段である。
【００４１】
無線通信手段２１は無線ネットワークに相互に接続、言い換えれば、各無線ネットワーク機器やゲートウェイ１４との間で無線リンクを確立させ、無線通信手段２１の入出力は演算制御手段２２に接続される。また、測定手段２３の出力は演算制御手段２２に入力され、演算制御手段２２の入出力は記憶手段２４に接続される。
【００４２】
演算制御手段２２は、記憶手段２４に格納されている測定手段２３を制御して温度等の物理量を測定し、測定結果を無線通信手段２１を介して外部に出力するためのアプリケーションプログラムを読み出して実行することにより、測定手段２３で測定した測定結果を無線ネットワークを介して外部のコンピュータ１３等に送信する。
【００４３】
ここで、図１に示す実施例において新たに無線ネットワーク機器が設置された場合、或いは、無線ネットワーク機器が撤去された場合等の無線ネットワーク機器の動作等を図４、図５、図６、図７、図８、図９、図１０、図１１、図１２及び図１３を用いて説明する。
【００４４】
図４は新たに設置された無線ネットワーク機器の動作を説明するフロー図、図５、図７、図８、図１０及び図１１は情報の流れ等を説明する説明図、図６は新たに設置された無線ネットワーク機器に隣接する無線ネットワーク機器の動作を説明するフロー図、図９は撤去された無線ネットワーク機器に隣接する無線ネットワーク機器の動作を説明するフロー図、図１２は属性情報の変化が生じた場合の無線ネットワーク機器の動作を説明するフロー図、図１３はコンピュータ１３の動作を説明する説明図である。
【００４５】
また、以下の説明では、図１中の無線ネットワーク機器１７が新たに設置、若しくは、撤去される無線ネットワーク機器で、図１中の無線ネットワーク機器１５が隣接する無線ネットワーク機器であると想定している。
【００４６】
図４中”Ｓ１０１”において新たに設置される無線ネットワーク機器１７は、機器が設置場所に設置されると図４中”Ｓ１０２”において当該設置場所に隣接して設置されている無線ネットワーク機器との間で無線リンクを確立させる。
【００４７】
そして、図４中”Ｓ１０３”において新たに設置された無線ネットワーク機器１７は、確立した無線リンクを介してコンピュータ１３に設置場所、提供するサービス、シリアル番号、ネットワークアドレス等の属性情報を送信する。
【００４８】
例えば、図５中”ＰＬ０１”に示すように無線ネットワーク機器１７が設置場所に設置されると、無線ネットワーク機器１７は隣接する無線ネットワーク機器との間で図５中”ＬＮ０１”に示すように無線リンクを確立させる。
【００４９】
一方、図６中”Ｓ２０１”において隣接する無線ネットワーク機器１５は、新たに設置された無線ネットワーク機器１７からの無線リンクが確立されたか否かを検出し、当該無線リンクの確立が検出された場合には、図６中”Ｓ２０２”において隣接する無線ネットワーク機器１５は、ゲートウェイ１４を介してコンピュータ１３に対して新たな無線ネットワーク機器が設置されたことを示す脱着情報（設置）を送信する。
【００５０】
例えば、図７中”ＤＴ１１”に示すように隣接する無線ネットワーク機器１５が新たに設置された無線ネットワーク機器１７からの無線リンクの確立を検出した場合には、図７中”ＤＲ１１”に示すように、新たな無線ネットワーク機器が設置されたことを示す脱着情報（設置）を無線ネットワーク（無線リンク）、ゲートウェイ１４及びネットワーク１０１を介してコンピュータ１３に送信する。
【００５１】
また、図６中”Ｓ２０３”において隣接する無線ネットワーク機器１５は、新たに設置された無線ネットワーク機器１７から設置場所、提供するサービス、シリアル番号、ネットワークアドレス等の属性情報を受信したか否かを判断し、もし、属性情報を受信したと判断した場合には、図６中”Ｓ２０４”において隣接する無線ネットワーク機器１５は、受信した属性情報をゲートウェイ１４を介してコンピュータ１３に転送する。
【００５２】
例えば、隣接する無線ネットワーク機器１５は、新たに設置された無線ネットワーク機器１７から無線リンクを介して図８中”ＳＡ２１”に示すように属性情報を受信した場合には、図８中”ＴＲ２１”に示すように受信した属性情報を無線ネットワーク（無線リンク）、ゲートウェイ１４及びネットワーク１０１を介してコンピュータ１３に転送する。
【００５３】
この結果、隣接する無線ネットワーク機器が、新たに設置された無線ネットワーク機器との間での無線リンクの確立を検出し、新たな無線ネットワーク機器が設置されたことを示す脱着情報（設置）をコンピュータ１３に送信することにより、任意のネットワーク機器が頻繁に脱着する状況であっても、コンピュータ１３は無線ネットワーク機器の構成を把握でき、無線ネットワーク機器の監視や制御を行うことが可能になる。
【００５４】
また、図９中”Ｓ３０１”において隣接する無線ネットワーク機器１５は、無線ネットワーク機器の撤去等に伴い無線ネットワーク機器１７からの無線リンクが切断されたか否かを検出し、当該無線リンクの切断が検出された場合には、図９中”Ｓ３０２”において隣接する無線ネットワーク機器１５は、ゲートウェイ１４を介してコンピュータ１３に対して無線ネットワーク機器が撤去されたことを示す脱着情報（撤去）を送信する。
【００５５】
例えば、図１０中”ＲＭ３１”に示すように無線ネットワーク機器１７が設置場所から撤去されると、図１０中”ＬＣ３１”に示すように隣接する無線ネットワーク機器１５との間の無線リンクが失われて切断される。
【００５６】
そして、例えば、図１１中”ＤＴ４１”に示すように隣接する無線ネットワーク機器１５が撤去された無線ネットワーク機器１７からの無線リンクの切断を検出した場合には、図１１中”ＤＲ４１”に示すように、無線ネットワーク機器が撤去されたことを示す脱着情報（撤去）を無線ネットワーク（無線リンク）、ゲートウェイ１４及びネットワーク１０１を介してコンピュータ１３に送信する。
【００５７】
この結果、隣接する無線ネットワーク機器が、撤去された無線ネットワーク機器との間での無線リンクの切断を検出し、無線ネットワーク機器が撤去されたことを示す脱着情報（撤去）をコンピュータ１３に送信することにより、任意のネットワーク機器が頻繁に脱着する状況であっても、コンピュータ１３は無線ネットワーク機器の構成を把握でき、無線ネットワーク機器の監視や制御を行うことが可能になる。
【００５８】
また、図１２中”Ｓ４０１”において無線ネットワーク機器１７は、設置場所やネットワークアドレス等の自らの属性情報に変更があったか否かを判断し、もし、属性情報の変更があったと判断した場合には、図１２中”Ｓ４０２”において無線ネットワーク機器１７は、変更された属性情報をゲートウェイ１４を介してコンピュータ１３に対して送信する。
【００５９】
この結果、無線ネットワーク機器の設置場所やネットワークアドレス等の自らの属性情報に変更があった場合には、変更された属性情報をコンピュータ１３に送信することにより、任意のネットワーク機器が頻繁に脱着する状況であっても、コンピュータ１３は無線ネットワーク機器の構成を把握でき、無線ネットワーク機器の監視や制御を行うことが可能になる。
【００６０】
最後に、機器間でのデータ転送に関して説明する。図１３中”Ｓ５０１”においてコンピュータ１３は、無線ネットワーク機器のアクセスに必要な機器ＩＤ、サービス内容、シリアル番号、通信プロトコル等の情報を取得し、図１３中”Ｓ５０２”においてコンピュータ１３は、取得した情報に基づき無線ネットワーク機器にアクセスしてデータを転送する。
【００６１】
例えば、コンピュータ１３から無線ネットワーク機器１７にデータを転送する場合には、無線ネットワーク機器１５を経由してデータの転送を行う。
【００６２】
この結果、コンピュータ１３が無線ネットワーク機器の機器ＩＤ、サービス内容、シリアル番号、通信プロトコル等の情報を取得し、取得した情報に基づき無線ネットワーク機器にアクセスしてデータを転送することにより、コンピュータ１３からある無線ネットワーク機器へのデータ転送が可能になる。
【００６３】
なお、図１に示す実施例では、コンピュータ１３は有線のネットワーク１０１に接続されているが、勿論、コンピュータ１３に無線ネットワークインターフェース等の通信手段を具備させて、ゲートウェイ１４を介さずに無線ネットワークに直接接続させても構わない。
【００６４】
また、図３に示す具体例では無線ネットワーク機器に測定手段を具備させているが、勿論、無線ネットワーク機器に具備させる機能に関しては測定手段に限定されるものではなく、コントローラ機能を実現する制御手段や、アクチュエータ機能を実現する駆動手段等の機能実現手段であっても構わない。
【００６５】
また、このような機能実現手段に関する情報としては、機能実現手段が測定手段、制御手段及び駆動手段である場合には、それぞれ、測定値等の情報、設定値等の情報及びアクチュエータの位置情報等が相当する。
【００６６】
また、図１に示す実施例の説明に際しては、例示した無線ネットワークの構成（無線リンクの状況）から、情報のコンピュータ１３への送信は全て無線ネットワーク機器１５を経由しているが、勿論、これに限定される訳ではなく、任意の台数の無線ネットワーク機器を経由しても、直接コンピュータ１３に送信しても構わない。
【００６７】
また、図１に示す実施例の説明に際しては、脱着情報や属性情報は送信先をコンピュータ１３として送信されているが、勿論、送信先を隣接する無線ネットワーク機器とし、各無線ネットワーク機器同士の間でバケツリレー方式で送信して当該情報をコンピュータ１３に到達させても構わない。
【００６８】
また、図１に示す実施例の説明に際しては、データ転送に関してはコンピュータ１３からある無線ネットワーク機器へのデータ転送を想定しているが、勿論、各無線ネットワーク機器間のデータ転送であっても、無線ネットワーク機器からコンピュータ１３へのデータ転送であっても構わない。
【００６９】
また、図１に示す実施例では単純にネットワーク機器の構成を監視すると共にネットワーク機器を制御するネットワーク監視制御システムとして例示しているが、以下に示すようなシステム等への適用が有効である。
（１）  ビルオートメーションシステム
（２）  プラント制御システム
（３）  現場巡回システム
（４）  広域フィールド監視システム
【００７０】
（１）ビルオートメーションシステムにおいては、無線ネットワーク機器を用い、当該無線ネットワーク機器の構成を管理するサーバを設けて、サーバに各種情報を集中させることにより、ビル内に設置される大量の無線ネットワーク機器の構成情報を動的に管理できるため、運用性及び拡張性に優れたシステムの構築が可能になる。また、管理コストの削減も可能になる。
【００７１】
（２）プラント制御システムにおいては、無線ネットワーク機器を用いて無線ネットワークを構築することにより、運用コストや敷設コストが削減され、各無線ネットワーク機器に検出したイベントのイベント通知を行わせる機能を持たせることにより、プラント内の無線ネットワーク機器の構成を容易に管理することが可能になる。
【００７２】
（３）現場巡回システムにおいては、ＰＤＡ（Personal Digital Assistant）やＰＨＳ（Personal Handyphone System）等の携帯端末を用いて現場の機器の保守／診断を行う際に、異なる機能を有する無線ネットワーク機器を一時的に現場に設置することにより、当該異なる機能の一時的な使用が可能になる。
【００７３】
（４）広域フィールド監視システムにおいては、測定値、画像、音声等の情報を収集する無線ネットワーク機器を監視対象フィールド内に配置することにより、任意のネットワーク機器が頻繁に脱着する状況に対応することが可能になる。
【図面の簡単な説明】
【００７４】
【図１】本発明に係るネットワーク監視制御システムの一実施例を示す構成ブロック図である。
【図２】コンピュータの具体例を示す構成ブロック図である。
【図３】無線ネットワーク機器の具体例を示す構成ブロック図である。
【図４】新たに設置された無線ネットワーク機器の動作を説明するフロー図である。
【図５】情報の流れ等を説明する説明図である。
【図６】新たに設置された無線ネットワーク機器に隣接する無線ネットワーク機器の動作を説明するフロー図である。
【図７】情報の流れ等を説明する説明図である。
【図８】情報の流れ等を説明する説明図である。
【図９】撤去された無線ネットワーク機器に隣接する無線ネットワーク機器の動作を説明するフロー図である。
【図１０】情報の流れ等を説明する説明図である。
【図１１】情報の流れ等を説明する説明図である。
【図１２】属性情報の変化が生じた場合の無線ネットワーク機器の動作を説明するフロー図である。
【図１３】コンピュータの動作を説明する説明図である。
【図１４】従来のネットワーク監視制御システムの一例を示す構成ブロック図である。
【図１５】コンピュータの具体例を示す構成ブロック図である。
【図１６】ネットワーク機器の具体例を示す構成ブロック図である。
【図１７】コンピュータからネットワーク機器へのアクセス手順を説明するフロー図である。
【符号の説明】
【００７５】
１，１３  コンピュータ
２，３，４，５  ネットワーク機器
６，９，１８  通信手段
７，１０，１９，２２  演算制御手段
８，１２，２０，２４  記憶手段
１１，２３  測定手段
１４  ゲートウェイ
１５，１６，１７  無線ネットワーク機器
２１  無線通信手段
１００，１０１  ネットワーク
【図１】
2005260776.tif 000003
【図２】
2005260776.tif 000004
【図３】
2005260776.tif 000005
【図４】
2005260776.tif 000006
【図５】
2005260776.tif 000007
【図６】
2005260776.tif 000008
【図７】
2005260776.tif 000009
【図８】
2005260776.tif 000010
【図９】
2005260776.tif 000011
【図１０】
2005260776.tif 000012
【図１１】
2005260776.tif 000013
【図１２】
2005260776.tif 000014
【図１３】
2005260776.tif 000015
【図１４】
2005260776.tif 000016
【図１５】
2005260776.tif 000017
【図１６】
2005260776.tif 000018
【図１７】
2005260776.tif 000019